(57)【要約】【課題】濾過具の開口部を簡易な操作で拡開でき、カップ上に安定して載置できる濾過具等を提供する。【解決手段】濾過具１は、被抽出材１０１を収容する濾過袋１０と、濾過袋１０を支持する支持具２０であって、略長方形状の薄板が重ねられ短辺１１側にて接合されて構成された環形状を有する支持具２０とを含む。濾過具１は、容器１００の開口側上縁に載置され、濾過袋１０に収納された被抽出材１０１に熱湯が注がれて抽出される抽出液を濾過袋１０にて濾過して容器１００内に流下する。支持具２０は、相対する長辺２２，２３を結ぶミシン目３２が予め形成され、支持具２０は、ミシン目３２の位置で山折りとなって拡開可能に構成され、支持具２０が拡開されて形成される拡開面３４は、内側に向かって凹状に湾曲して形成される。【選択図】図１
2010099462.tif 000002
【特許請求の範囲】
【請求項１】
略長方形状の薄板が重ねられ、当該薄板の短辺（２１）側にて接合されて環形状に構成された、拡開可能な、飲料用濾過袋（１０）の支持具（５０）であって、
前記短辺（２１）を起点として所定の長さを有する第１の折り目（３１）と、
前記第１の折り目（３１）の端部（３１ａ）から前記薄板の第１の長辺（２２）まで形成された第２の折り目（５２）と、
前記第１の折り目（３１）の前記端部（３１ａ）から前記薄板の第２の長辺（２３）まで形成された第３の折り目（５３）と
が形成された支持具（５０）において、
前記第１の折り目（３１）の位置で谷折りとなり、前記第２及び前記第３の折り目（５２，５３）の位置で山折りとなって、拡開されることを特徴とする支持具（５０）。
【請求項２】
請求項１に記載の支持具において、
拡開されて形成される拡開面（３４）は、前記第１の折り目（３１）の位置が最も幅広に構成されることを特徴とする支持具。
【請求項３】
請求項１に記載の支持具において、
前記第１の折り目（３１）は前記短辺（２１）に対して垂直の方向に形成されることを特徴とする支持具。
【請求項４】
請求項１に記載の支持具において、
前記第２及び第３の折り目（５２，５３）は、直線で構成され、
前記第２の折り目（５２）は、前記第１の折り目（３１）の前記端部（３１ａ）において当該第１の折り目に対して直角又は鋭角をなし、
前記第３の折り目（５３）は、前記第１の折り目（３１）の前記端部（３１ａ）において当該第１の折り目に対して鋭角をなすことを特徴とする支持具。
【請求項５】
請求項１に記載の支持具において、
前記第２及び第３の折り目（５２，５３）は、直線で構成され、
前記第２の折り目（５２）は、前記第１の折り目（３１）の前記端部（３１ａ）において当該第１の折り目に対して鋭角をなし、
前記第３の折り目（５３）は、前記第１の折り目（３１）の前記端部（３１ａ）において当該第１の折り目に対して直角又は鋭角をなすことを特徴とする支持具。
【請求項６】
請求項１に記載の支持具において、
前記第１乃至第３の折り目のうち少なくとも１つの折り目は、貫通部と非貫通部とを交互に有するミシン目にて形成されることを特徴とする支持具。
【請求項７】
被抽出材（１０１）を収容する濾過袋（１０）と、
略長方形状の薄板が重ねられ、当該薄板の短辺（１１）側にて接合されて構成された環形状を有し、前記濾過袋（１０）を支持する支持具（２０，４０，５０）とを含み、
容器（１００）の開口側上縁に載置され、前記濾過袋（１０）に収納された前記被抽出材（１０１）に抽出媒体が注がれて抽出される抽出液を当該濾過袋（１０）にて濾過して当該容器（１００）内に流下する濾過具（１，２，３）において、
前記支持具（２０，４０，５０）は、前記薄板の相対する２つの長辺（２２，２３）を結ぶ折り目（３２）が予め形成され、
前記支持具（２０，４０，５０）は、当該支持具の前記折り目（３２）の位置で山折りとなって拡開可能に構成され、
前記支持具（２０，４０，５０）が拡開されて形成される拡開面（３４）は、内側に向かって凹状に湾曲することを特徴とする濾過具（１，２，３）。
【請求項８】
請求項７に記載の濾過具（１，２）において、
前記支持具（２０，４０）は、
前記支持具（２０，４０）を構成する前記薄板の前記短辺（２１）を起点として所定の長さを有する第１の折り目（３１）と、
前記第１の折り目（３１）の端部（３１ａ）から前記薄板の第１の長辺（２２）に向けて形成された第２の折り目（３２）と、
前記第１の折り目（３１）の前記端部（３１ａ）から前記薄板の第２の長辺（２３）に向けて形成された切込み部（３３，４３）と
を有し、
前記支持具（２０，４０）は、当該支持具の前記第１の折り目（３１）の位置で谷折りとなり、前記第２の折り目（３２）の位置で山折りとなって略方形状に拡開されることを特徴とする濾過具。
【請求項９】
請求項８に記載の濾過具（１，２）において、
前記支持具（２０，４０）は、同じ形状の２枚の前記薄板が当該薄板の前記短辺側の糊代部（２８）にて接合されて構成されることを特徴とする濾過具。
【請求項１０】
請求項８に記載の濾過具（１，２）において、
前記支持具（２０，４０）は、１枚の前記薄板で構成され、
前記支持具（２０，４０）は、前記薄板の長手方向の中央付近で折り曲げられ、前記短辺（２１）側の糊代部（２８）にて接合されて構成されることを特徴とする濾過具。
【請求項１１】
請求項９又は１０に記載の濾過具（１，２）において、
前記支持具（２０，４０）の前記糊代部（２８）は、前記第１の折り目（３１）に対応する位置に隙間（２９）が形成されていることを特徴とする濾過具。
【請求項１２】
請求項８に記載の濾過具（１，２，３）において、
前記濾過袋（１０）の開口部（１３）の一部が、前記支持具（２０，４０，５０）の相対する２面の前記第２の長辺（２３）に接合されていることを特徴とする濾過具。
【請求項１３】
請求項１２に記載の濾過具（１，２，３）において、
前記濾過袋（１０）の前記開口部（１３）のうち前記支持具（２０，４０，５０）に接合されない部分の長さは、前記拡開面（３４）の幅に略同じであることを特徴とする濾過具。
【請求項１４】
請求項８に記載の濾過具（２）において、
前記切込み部（４３）は、前記第１の折り目（３１）の前記端部（３１ａ）から前記薄板の前記第２の長辺（２３）に向かう途中まで形成されていることを特徴とする濾過具。
【請求項１５】
請求項７に記載の濾過具（１，２，３）において、
前記被抽出材（１０１）を更に有することを特徴とする濾過具。
【請求項１６】
略長方形状の薄板が重ねられ、当該薄板の短辺（６１）側にて接合されて環形状に構成された、拡開可能な、飲料用濾過袋（１０）の支持具（６０）であって、
前記短辺（６１）を起点とする第１の折り目（７１）と、
前記第１の折り目（７１）の端部（７１ａ）から前記薄板の第１の長辺（６２）に向けて形成された第２の折り目（７２）と、
前記薄板の第２の長辺（６３）に沿って形成された第１の切込み部（７５）と、
前記第１の折り目（７１）の前記端部（７１ａ）から前記第１の切込み部（７５）まで形成された第２の切込み部（７６）と
が形成された支持具（６０）において、
前記第１の折り目（７１）の位置で谷折りとなり、前記第２の折り目（７２）の位置で山折りとなって拡開され、
前記第１の切込み部（７５）と前記第１の長辺（６２）との間に、内側に向けて凹状に湾曲した拡開面（６４）が形成され、
前記第１の切込み部（７５）と前記第２の長辺（６３）との間に、外側に向けて凸状に湾曲した上縁部（６５）が形成されることを特徴とする支持具（６０）。
【請求項１７】
請求項１６に記載の支持具（６０）において、
前記薄板は、当該薄板の一方の短辺（６１）に糊代部（６８）が形成され、他方の短辺側に当該糊代部に接合される被接合部（７７）が形成され、
前記糊代部（６８）は、前記第１の折り目（７１）が前記短辺（６１）に対称となるように延長されて形成され、
前記被接合部（７７）は、前記支持具（６０）が環形状にされるとき、前記糊代部（６８）の前記第１の折り目（７１）に対応する位置を避ける逃げ領域（７８）を有して形成されていることを特徴とする支持具。
【発明の詳細な説明】
【技術分野】
【０００１】
本発明は、支持具及び濾過具に関する。更に詳しくは、コーヒー、紅茶、日本茶、中国茶等嗜好性飲料の使い捨て可能な支持具及び濾過具に関する。
【背景技術】
【０００２】
近年、使い捨て形式の濾過具に用いて消費者自身がコーヒーを淹れて飲む習慣が普及してきている。
例えば、濾過具に関する公報記載の従来技術として、ディスポーザブルでドリップタイプのコーヒー、紅茶等の抽出用バッグに紙製の支持具を取り付けたものであって、バッグにお湯を注入する際支持具の端を２段に折り込むことによって、バッグの口を大きく一定の大きさに確実に開かせることができる支持具付嗜好性飲料バッグの技術がある（特許文献１参照）。
【０００３】
また、ディスポーザブルでドリップタイプのコーヒー、紅茶等の抽出用バッグに紙製の支持具を取り付けたものであって、抽出効果を高めると共に注入時のお湯の溢れ、カップの移動時等の転倒による火傷等の怪我を防止する安全性が高められる支持具付嗜好性飲料バッグの技術がある（特許文献２）。
更に、本体に濾過袋を取り付け本体の挟持部でカップを挟み、この本体を拡開させるのに帯片に形成した摘み部を用い、この拡開に伴い載置片に形設した複数の折れ込み筋を介して内折れさせて載置部を形成する技術がある（特許文献３）。
【先行技術文献】
【特許文献】
【０００４】
【特許文献１】特開平９−１３１２６３号公報
【特許文献２】特開平１０−８０３６２号公報
【特許文献３】特開２００３−５２５４５号公報
【発明の開示】
【発明が解決しようとする課題】
【０００５】
ところで、例えば、カップを挟み込む形式の濾過具は、径の大きいカップに載置されると、濾過具の下方が大きく開いて上方の濾紙開口部が狭くなる。その結果、給湯しづらいという事態が生じる。
また、カップに載置したときに開口部の全周が開口された状態で保持されない形式の濾過具も、給湯時に給湯しづらい。
一方、濾過具をカップ上に載置する際に、収納された状態から開くまでの準備作業が複雑であれば、消費者は準備作業を煩わしく感じ、好ましいことではない。
【０００６】
本発明は、濾過具の開口部を簡易な操作で拡開でき、カップ上に安定して載置できる濾過具等を提供することを目的とする。
【課題を解決するための手段】
【０００７】
以下、本発明について上記課題を解決するための手段を説明する。尚、本発明の理解を容易にするために添付図面の参照符号を括弧書きにて付記するが、それにより本発明が図示の形態に限定されるものではない。
【０００８】
上記課題を解決するために、本発明にかかる支持具（５０）は、略長方形状の薄板が重ねられ、薄板の短辺（２１）側にて接合されて環形状に構成された、拡開可能な、飲料用濾過袋（１０）の支持具（５０）であって、短辺（２１）を起点として所定の長さを有する第１の折り目（３１）と、第１の折り目（３１）の端部（３１ａ）から薄板の第１の長辺（２２）まで形成された第２の折り目（５２）と、第１の折り目（３１）の端部（３１ａ）から薄板の第２の長辺（２３）まで形成された第３の折り目（５３）とが形成された支持具（５０）において、第１の折り目（３１）の位置で谷折りとなり、第２及び第３の折り目（５２，５３）の位置で山折りとなって、拡開されることを特徴とする。
【０００９】
ここで、拡開されて形成される拡開面（３４）は、第１の折り目（３１）の位置が最も幅広に構成されることを特徴とすれば、拡開形状を安定して維持できる。
また、第１の折り目（３１）は短辺（２１）に対して垂直の方向に形成されることを特徴とすれば、形状の製作が容易である。
【００１０】
更に、第２及び第３の折り目（５２，５３）は、直線で構成され、第２の折り目（５２）は、第１の折り目（３１）の端部（３１ａ）において第１の折り目に対して直角又は鋭角をなし、第３の折り目（５３）は、第１の折り目（３１）の端部（３１ａ）において第１の折り目に対して鋭角をなすことを特徴とすれば、形状の製作が容易となり形状を安定的に維持できる。
更にまた、第２及び第３の折り目（５２，５３）は、直線で構成され、第２の折り目（５２）は、第１の折り目（３１）の端部（３１ａ）において第１の折り目に対して鋭角をなし、第３の折り目（５３）は、第１の折り目（３１）の端部（３１ａ）において第１の折り目に対して直角又は鋭角をなすことを特徴とすれば、形状の製作が容易となり形状を安定的に維持できる。
更にまた、第１乃至第３の折り目のうち少なくとも１つの折り目は、貫通部と非貫通部とを交互に有するミシン目にて形成されることを特徴とすれば、拡開作業の負荷を軽減できる。
【００１１】
上記課題を解決するために、本発明にかかる濾過具（１，２，３）は、被抽出材（１０１）を収容する濾過袋（１０）と、略長方形状の薄板が重ねられ、薄板の短辺（１１）側にて接合されて構成された環形状を有し、濾過袋（１０）を支持する支持具（２０，４０，５０）とを含み、容器（１００）の開口側上縁に載置され、濾過袋（１０）に収納された被抽出材（１０１）に抽出媒体が注がれて抽出される抽出液を濾過袋（１０）にて濾過して容器（１００）内に流下する濾過具（１，２，３）において、支持具（２０，４０，５０）は、薄板の相対する２つの長辺（２２，２３）を結ぶ折り目（３２）が予め形成され、支持具（２０，４０，５０）は、支持具の折り目（３２）の位置で山折りとなって拡開可能に構成され、支持具（２０，４０，５０）が拡開されて形成される拡開面（３４）は、内側に向かって凹状に湾曲することを特徴とする。
【００１２】
ここで、支持具（２０，４０）は、支持具（２０，４０）を構成する薄板の短辺（２１）を起点として所定の長さを有する第１の折り目（３１）と、第１の折り目（３１）の端部（３１ａ）から薄板の第１の長辺（２２）に向けて形成された第２の折り目（３２）と、第１の折り目（３１）の端部（３１ａ）から薄板の第２の長辺（２３）に向けて形成された切込み部（３３，４３）とを有し、支持具（２０，４０）は、支持具の第１の折り目（３１）の位置で谷折りとなり、第２の折り目（３２）の位置で山折りとなって略方形状に拡開されることを特徴とすれば、折り曲げ部分が少なくなり、拡開作業の負荷を軽減できる。
また、支持具（２０，４０）は、同じ形状の２枚の薄板が薄板の短辺側の糊代部（２８）にて接合されて構成されることを特徴とすれば、濾過具のバランスを図ることができる。
更に、支持具（２０，４０）は、１枚の薄板で構成され、支持具（２０，４０）は、薄板の長手方向の中央付近で折り曲げられ、短辺（２１）側の糊代部（２８）にて接合されて構成されることを特徴とすれば、製造コストを軽減できる。
更にまた、支持具（２０，４０）の糊代部（２８）は、第１の折り目（３１）に対応する位置に隙間（２９）が形成されていることを特徴とすれば、第１の折り目の位置での折り曲げ負荷を軽減できる。
【００１３】
更にまた、濾過袋（１０）の開口部（１３）の一部が、支持具（２０，４０，５０）の相対する２面の第２の長辺（２３）に接合されていることを特徴とすれば、濾過具の拡開に伴い濾過袋を拡開できる。
更にまた、濾過袋（１０）の開口部（１３）のうち支持具（２０，４０，５０）に接合されない部分の長さは、拡開面（３４）の幅に略同じであることを特徴とすれば、濾過袋を広く開口できる。
更にまた、切込み部（４３）は、第１の折り目（３１）の端部（３１ａ）から薄板の第２の長辺（２３）に向かう途中まで形成されていることを特徴とすれば、濾過具の拡開で形成される拡開面の倒れを防止できる。
更にまた、被抽出材（１０１）を更に有することを特徴とすれば、ユーザは煩わされることなく、嗜好性飲料を楽しむことができる。
【００１４】
上記課題を解決するために、本発明にかかる支持具（６０）は、略長方形状の薄板が重ねられ、薄板の短辺（６１）側にて接合されて環形状に構成された、拡開可能な、飲料用濾過袋（１０）の支持具（６０）であって、短辺（６１）を起点とする第１の折り目（７１）と、第１の折り目（７１）の端部（７１ａ）から薄板の第１の長辺（６２）に向けて形成された第２の折り目（７２）と、薄板の第２の長辺（６３）に沿って形成された第１の切込み部（７５）と、第１の折り目（７１）の端部（７１ａ）から第１の切込み部（７５）まで形成された第２の切込み部（７６）とが形成された支持具（６０）において、第１の折り目（７１）の位置で谷折りとなり、第２の折り目（７２）の位置で山折りとなって拡開され、第１の切込み部（７５）と第１の長辺（６２）との間に、内側に向けて凹状に湾曲した拡開面（６４）が形成され、第１の切込み部（７５）と第２の長辺（６３）との間に、外側に向けて凸状に湾曲した上縁部（６５）が形成されることを特徴とする。
【００１５】
ここで、薄板は、薄板の一方の短辺（６１）に糊代部（６８）が形成され、他方の短辺側に糊代部に接合される被接合部（７７）が形成され、糊代部（６８）は、第１の折り目（７１）が短辺（６１）に対称となるように延長されて形成され、被接合部（７７）は、支持具（６０）が環形状にされるとき、糊代部（６８）の第１の折り目（７１）に対応する位置を避ける逃げ領域（７８）を有して形成されていることを特徴とすれば、短辺（６１）を挟んだ両側で可撓性（剛性）がほぼ同じになり、ほぼ均等に拡開されて、バランスの取れた形状となる。
【発明の効果】
【００１６】
本発明によれば、濾過具の開口部を簡易な操作で拡開でき、カップ上に安定して載置できる濾過具等を提供できる。
【図面の簡単な説明】
【００１７】
【図１】第１の実施形態にかかる濾過具の使用状態を示す斜視図である。
【図２】図１に示す濾過具の使用前の状態の正面図である。
【図３】図１に示す濾過具の支持具の展開図である。
【図４】図１に示す濾過具を拡開する途中の状態を説明するための図である。
【図５】第２の実施形態にかかる濾過具の斜視図である。
【図６】第３の実施形態にかかる濾過具の斜視図である。
【図７】第４の実施形態にかかる濾過具の使用状態を示す斜視図である。
【図８】図７に示す濾過具の支持具の展開図である。
【図９】図８に示す支持具の接合領域付近の部分拡大図である。
【発明を実施するための形態】
【００１８】
（第１の実施形態）
以下、本発明を実施するための第１の実施形態について詳細に説明する。
図１は、第１の実施形態にかかる濾過具１の使用状態を示す斜視図であり、図２は、使用前の濾過具１の正面図である。
図１に示すように、濾過具１は、コーヒー、紅茶等嗜好性飲料の被抽出材１０１を収容する濾過袋１０と、内部に濾過袋１０を保持する支持具２０とを有して構成される。そして、濾過具１は、カップ等の容器１００の開口側上縁に載置される。
【００１９】
ここで、濾過袋１０は、例えば、濾紙、不織布、又は、ポリプロピレン及びポリエチレン繊維の少なくともいずれか一つをパルプに混和し抄紙した材料等で構成される。濾過袋１０は、１枚の材料が底辺１１にて折られ側面１２にて熱接合されて、袋形状を構成している。濾過袋１０は、開口部１３側が底辺１１側に対してやや広がった台形形状を有している。濾過袋１０は、内部に、例えば、紅茶、ウーロン茶、緑茶、麦茶等の茶葉や焙煎粉砕したコーヒー豆等の被抽出材１０１が収納される。
支持具２０は、例えば、ポリエチレン等で防水加工を施した厚紙、プラスチック製シート等の可撓性を有する材料で構成される。支持具２０は、横長帯状の台紙（略長方形状の薄板）が中央で折られ重ねられ（後述）、短辺２１側にて接合されて環形状に拡開可能に構成される。尚、支持具２０の展開形状は図３を用いて後述する。
【００２０】
図２に示すように、支持具２０の上側の長辺２３側には、濾過袋１０の開口部１３側が接着されている。尚、濾過袋１０の支持具２０への取り付け方法は、接着に限定されない。例えば、融着であってもよい。支持具２０がポリマー樹脂でラミネートされた紙で構成され、濾過袋１０が熱溶融性を有する材料で構成される場合、熱融着によって取り付けられることが好ましい。
濾過袋１０の開口部１３は、一部が支持具２０の上側の相対する２つの長辺２３に接着されている。より具体的には、拡開されたときの支持具２０の拡開面の幅（後述する台紙の第１の折り目の一例としての第１のミシン目３１の長さ）が濾過袋１０の接着されない部分の長さとほぼ同じとなるように、濾過袋１０の開口部１３の接着部分の長さ（接着されない部分の長さ）が決定される。これにより、濾過具１が拡開されたとき、濾過袋１０の開口部１３を安定的に広く開口できる。
【００２１】
支持具２０（濾過具１）の下側の長辺２２は、中央から左右に同じ深さの２つの凹部２４，２５が形成されている。濾過具１が拡開されて容器１００に載置されたとき、この凹部２４，２５に容器１００の上側の縁が入り込んで、濾過具１が容器１００に安定的に載置される（図１参照）。
支持具２０の中央には孔２６が穿かれており、その孔２６の下側部分に形成された舌部２７にて支持具２０と濾過袋１０とが接着される。これにより、濾過具１（支持具２０）が拡開されたとき、濾過袋１０の開口部１３だけではなく下方部分も拡開されて、濾過袋１０の内部空間を広げる。濾過袋１０の開口部から熱湯等の抽出媒体が注入される際、抽出媒体の自重によって濾過袋１０の内部空間が狭められることはない。抽出媒体は濾過袋１０内で対流し被抽出材１０１に均等に接触するので、抽出効果を高めることができる。抽出された嗜好性飲料の抽出液は容器１００内に流下する（図１参照）。
【００２２】
以上の構成を有する濾過具１を実現するための支持具２０の展開図を図３を用いて説明する。
図３は、支持具２０の展開図である。
図３に示すように、支持具２０は、略長方形状の台紙（薄板）の上側の長辺２３から約３分の１の高さの位置に、短辺２１を起点として中央に向かって所定の長さの第１の折り目の一例としての第１のミシン目３１が形成されている。第１の実施形態では、形状の製作を容易にするため、第１のミシン目３１を短辺２１に対して垂直に形成している。
【００２３】
第１のミシン目３１の端部３１ａから台紙の第１の長辺の一例としての下側の長辺２２まで第２の折り目の一例としての第２のミシン目３２が形成され、第１のミシン目３１の端部３１ａから台紙の第２の長辺の一例としての上側の長辺２３まで切込み部３３が形成されている。端部３１ａから上側の長辺２３までを折り目ではなく切込み部３３とすることで、折り曲げ部分を少なくし、拡開作業の負荷を軽減できる。
また、支持具２０は、環形状に接合されるために、図３の右側の短辺２１に糊代部２８が形成されている。ここで、この糊代部２８には、拡開面の凹んだ形状（後述）を実現するために、第１のミシン目３１に対応する位置に隙間２９が形成されている。支持具２０を環形状とするために、折返し線で折り返して１箇所の糊代部２８で接合するので、支持具２０の製造コストを軽減できる。また、隙間２９により、拡開時の第１のミシン目３１の位置での折り曲げ負荷（拡開作業の負荷）を軽減できる。
【００２４】
第１のミシン目３１の長さは、濾過具１が拡開されたときに形成される拡開面３４（図１参照）の幅を決定する。第１のミシン目３１の長さは、上述した濾過袋１０の接着されない部分の長さや濾過具１が載置される容器１００（図１参照）の大きさとの関係から決定される。
第１の実施形態では、第２のミシン目３２と切込み部３３とは第１のミシン目３１の端部３１ａで連続した円弧を描くように決定されており、第１のミシン目３１の端部３１ａにおける円弧の接線は第１のミシン目３１に対して直角に形成されている。これにより、拡開されて形成される拡開面３４は、第１のミシン目３１の位置で最も幅広となり、濾過具１が拡開した形状を安定的に維持している。
尚、ここでは、１枚の台紙を糊代部２８にて環形状に接合して支持具２０を構成する例を説明したが、これに限定されるものではない。例えば、同じ形状の２枚の台紙を糊代部にて接合して環形状の支持具２０を構成するようにしても良い（図示省略）。拡開されるとき糊代部をバランスよく配置できる。
【００２５】
（濾過具の使用方法）
以上に説明した濾過具１の使用方法について以下に説明する。
図４は、濾過具１を拡開する途中の状態を説明するための図である。
図４に示すように、濾過具１の拡開面方向から濾過具１を挟む方向（図の矢印の方向）に指（図示省略）で押すと、支持具２０は第１及び第２のミシン目３１，３２と切込み部３３の位置を基準として変形し、濾過具１が拡開される。具体的には、第１のミシン目３１が谷折りとなり、第２のミシン目３２が山折りとなって変形し、濾過具１が拡開される。
【００２６】
上述したように、濾過袋１０の下方が支持具２０の舌部２７に接着されているので、濾過具１（支持具２０）の拡開に合わせて濾過袋１０は開口される。
拡開面方向から押し続けられて、表側（図４の手前側）の台紙が第２のミシン目３２の位置で山折りとなって形成される拡開面と裏側（図４の奥側）の台紙の拡開面とが同一平面（拡開面３４）を構成するとき、第１のミシン目３１を基準にして上側の拡開面３５が外側に倒れる。このとき、第１のミシン目３１の位置がリブとして機能し、濾過具１は形状を安定的に維持する（図１に示す状態となる）。
【００２７】
このように、濾過具１の短辺を両側から挟むように押すことで、濾過具１は拡開されて形状を安定的に維持することが可能となる。また、折り目をミシン目とすることで、折り曲げ位置を定めることが可能となり、折り曲げ作業（拡開作業）の負荷を軽減できる。
これにより、ユーザは、濾過具１を容器１００に載置して、濾過袋１０に予め収納された、或いは、開口された後に入れられた被抽出材１０１に対して、熱湯等の抽出媒体を注ぎ込むことが可能になる。ユーザは煩わされることなく、嗜好性飲料を楽しむことができる。
【００２８】
（第２の実施形態）
図５は、第２の実施形態にかかる濾過具２の斜視図である。図１に示す濾過具１と同一の構成要素は、同一の符号を付すことで説明を省略する。
図５に示すように、濾過具２の支持具４０は、切込み部４３が第１のミシン目３１の端部３１ａから台紙の上側の長辺２３に向かう途中まで形成されている点で、切込み部３３が第１のミシン目３１の端部３１ａから台紙の上側の長辺２３まで形成された第１の実施形態にかかる濾過具１の支持具２０と相違する（図２参照）。上側の長辺２３がつながっているので、上側の拡開面３５が外側に大きく開いて倒れることがない。よって、熱湯等の抽出媒体を注ぎ込むときに、注ぎ口（図示省略）が上側の拡開面３５に引っかかる恐れが少なくなり、使い勝手が向上する。
【００２９】
（第３の実施形態）
図６は、第３の実施形態にかかる濾過具３の斜視図である。
図６に示すように、濾過具３の支持具５０は、第１のミシン目３１の端部３１ａから下側の長辺２２まで形成された第２の折り目の一例としての第２のミシン目５２と、端部３１ａから上側の長辺２３まで形成された第３の折り目の一例としての第３のミシン目５３とが、直線で形成されている点で、第１及び第２の実施形態にかかる濾過具１，２の支持具２０，４０と相違する。このとき、端部３１ａにおいて、第２のミシン目５２や第３のミシン目５３は第１のミシン目３１に対して直角又は鋭角に形成されることが好ましい。第２及び第３のミシン目５２，５３を直線とすることで支持具５０の製作が容易となり、第２又は第３のミシン目５２，５３を第１のミシン目３１に対して直角又は鋭角に形成することで拡開により形成される拡開面３４が濾過具３の内側に向かって凹んだ形状となり方形状を安定的に維持する。
【００３０】
（第４の実施形態）
図７は、第４の実施形態にかかる濾過具４の使用状態を示す斜視図、図８は、濾過具４（図７）の支持具６０の展開図、図９は、支持具６０（図８）が環形状に接合されるときの接合領域７９付近の部分拡大図である。
図７に示すように、濾過具４は、濾過袋１０と、濾過袋１０を保持する支持具６０とを有して構成される。濾過具４は拡開されて、容器１００に載置される。濾過具４の支持具６０において、第１のミシン目７１は谷折りにされ、第２のミシン目７２は山折りにされて、支持具６０を拡開形状に維持している。このとき、拡開されて形成される拡開面６４は、支持具６０の内側に向けて凹状に湾曲する。これに対して、第１の切込み部７５（図８）から上側の長辺６３（図８）までの上縁部６５は、支持具６０の外側に向けて凸状に湾曲する。
【００３１】
以上に説明した濾過具４の形状を実現するための支持具６０の展開図を図８を用いて説明する。
図８に示すように、支持具６０は、略長方形状の台紙（薄板）の縦方向中央付近のやや上方の位置に、短辺６１（又は折返し線７０）を起点とする第１のミシン目７１が形成されている。第４の実施形態では、図８の中央の第１のミシン目７１は、拡開前に短辺６１を構成する折返し線７０に対称で、下側の長辺６２に向かって凸に形成されている。また、第１のミシン目７１の端部７１ａと下側の長辺６２との間に、第２のミシン目７２が形成されている。第２のミシン目７２は、下側の長辺６２に向かって凸に（略円弧状に）形成されている。
【００３２】
上側の長辺６３と第１のミシン目７１との間に、第１の切込み部７５が形成されている。第４の実施形態では、第１の切込み部７５は、上側の長辺６３に平行に（折返し線７０に垂直に）形成されている。また、端部７１ａと第１の切込み部７５との間に、第２の切込み部７６が形成されている。第４の実施形態では、端部７１ａ付近の第２の切込み部７６は、第１のミシン目７１が延長されて形成され、拡開時の端部７１ａ付近の応力を分散している。これにより、ユーザの拡開作業が容易になり、拡開後に台紙の破れを防ぎ、形状が安定する。尚、第１の切込み部７５は上側の長辺６３に平行でなくても良い。凸状に湾曲する上縁部６５（図７）と凹状に湾曲する拡開面６４（図７）とが形成されるように、例えば、上側の長辺６３に平行ではなく沿って形成されても良い。
支持具６０は、図８の右側の短辺６１に糊代部６８が形成されている。糊代部６８は、下側の長辺６２に向かって凸の（略円弧状の）外形を有し、被接合部７７（後述）に接合されるとき第２のミシン目７２を避けている。これにより、糊代部６８は、拡開時に第２のミシン目７２が山折りされるのを妨げない。糊代部６８は、拡開面６４（図７）の半幅より更に小さい幅を有して形成されている。
【００３３】
糊代部６８には、第１のミシン目７１が折返し線７０に対称となるように延長されて形成されている。また、糊代部６８には、接合時に第１の切込み部７５に対応する位置に隙間６９が形成されている。隙間６９は、拡開時に対応する第１の切込み７５に対して充分な幅を有して形成されている。
支持具６０は、図８の左側に、糊代部６８が接合される被接合部７７が形成されている。被接合部７７は、図８の中央に示された拡開面６４（図７）の折返し線７０の右側部分と同様、第２のミシン目７２と第１の切込み部７５と第２の切込み部７６とを有して構成される。そして、被接合部７７は、第２のミシン目７２から所定の幅Ｄ1の略円弧状の外形線と、糊代部６８の隙間６９に対して所定の幅Ｄ2（図９）の外形線とで構成される逃げ領域７８（図８では仮想的に破線の斜線領域として表示した）を中央付近に有する。逃げ領域７８は、支持具６０が環形状にされるとき、糊代部６８に形成された第１のミシン目７１に対応する位置となる（後述）。
【００３４】
以上に説明した支持具６０が環形状に接合されるときの接合領域７９付近を図９を用いて説明する。
図９に示すように、第４の実施形態では、支持具６０が環形状にされ、短辺６１に平行に所定の幅Ｄ3だけホットプレスされて、糊代部６８と被接合部７７とは熱融着される。即ち、糊代部６８と被接合部７７とは、面全体が接合されない。接合される幅Ｄ3は、濾過具４（図７）として使用に耐えられるだけの充分な接合力が得られるよう決定される。
糊代部６８は隙間６９を挟んで上下に分かれており、被接合部７７は第１の切込み部７５を挟んで上下に分かれているから、これに対応して接合領域７９は上下に分かれる。また、上述の通り、被接合部７７には逃げ領域７８が形成され、接合される領域は逃げ領域７８より幅が狭いので、第１の切込み部７５から下の接合領域７９は、逃げ領域７８を挟んで二つに分かれる。支持具６０が環形状にされるとき、糊代部６８に形成された第１のミシン目７１は逃げ領域７８に対応するので、糊代部６８と被接合部７７との接合の影響を受けることなく、糊代部６８の第１のミシン目７１は谷折りにできる。よって、第１のミシン目７１の位置で谷折りして拡開するので、ユーザは拡開作業を簡易に行うことが可能となる。
【００３５】
第１のミシン目７１と上側の長辺６３との間に第１の切込み部７５が形成されている。拡開時、第１の切込み部７５の下側に、支持具６０の内側に向けて凹状に湾曲した拡開面６４（図７）が形成され、支持具６０の形状を保つ。第１の切込み部７５の上側に、支持具６０の外側に向けて凸状に湾曲した上縁部６５（図７）が形成される。上方から見るとき、支持具６０の上縁部６５は楕円形状を形成し、ユーザに良好な美観を提供する。
図３に示す隙間２９が第１のミシン目３１（図３）に対応する位置に幅狭に形成されているのに対して、第４の実施形態では、隙間６９は、拡開時に対応する第１の切込み７５に対して充分な幅を有して形成されている。これにより、支持具６０が環形状にされるとき、第１の切込み７５との厳格な位置合わせを必要としない。
隙間６９が充分な幅を有するので、上縁部６５（図７）の糊代部６８は幅狭になる。その結果、上縁部６５（図７）において、接合後の折返し線７０の両側で可撓性（剛性）は同程度になる。また、被接合部７７に逃げ領域７８が形成されて、糊代部６８と被接合部７７とが接合される側（短辺６１の右側）は、短辺６１を挟んだ反対側（左側）と可撓性（剛性）がほぼ同じになっている。よって、拡開されたとき、折返し線７０の両側で湾曲状態はほぼ同じになる。逃げ領域７８は第１のミシン目７１の谷折りを妨げない。これにより、支持具６０は短辺６１を挟んでほぼ均等に拡開され、バランスの取れた形状を有する支持具６０を提供できる。形状は安定し、ユーザが容器１００（図７）に載置するときの状態が安定する。
【符号の説明】
【００３６】
１，２，３，４…濾過具、１０…濾過袋、１１…底辺、１２…側面、１３…開口部、２０，４０，５０，６０…支持具、２１，６１…短辺、２２，６２…下側の長辺（第１の長辺）、２３，６３…上側の長辺（第２の長辺）、２４，２５…凹部、２６…孔、２７…舌部、２８，６８…糊代部、２９，６９…隙間、３１，７１…第１のミシン目（第１の折り目）、３１ａ，７１ａ…端部、３２，５２，７２…第２のミシン目（第２の折り目）、３３，４３…切込み部、３４，６４…拡開面、３５…上側の拡開面、５３…第３のミシン目（第３の折り目）、６５…上縁部、７０…折返し線、７５…第１の切込み部、７６…第２の切込み部、７７…被接合部、７８…逃げ領域、７９…接合領域、１００…容器、１０１…被抽出材
【図１】
2010099462.tif 000003
【図２】
2010099462.tif 000004
【図３】
2010099462.tif 000005
【図４】
2010099462.tif 000006
【図５】
2010099462.tif 000007
【図６】
2010099462.tif 000008
【図７】
2010099462.tif 000009
【図８】
2010099462.tif 000010
【図９】
2010099462.tif 000011